(57)【要約】      （修正有）【課題】温泉とサウナを改良するためのマイナスイオン発生装置を提供する。【解決手段】蓄積層４、４−１、４−２、４−３に多量のトルマリン鉱石３を蓄積し、自然に近い多量のマイナスイオンを発生させる。貯水槽４−３からの落差で滝を作り、大型水槽９で熱帯魚等を育成する。温泉湯の蒸気をエアーパイプ１１で噴出し室内の湿度を６０％とする。温泉湯を床暖房装置１５で４０℃として、トルマリン鉱石板１３を温める。トルマリン鉱石からのマイナスイオンが身体に温熱で伝わり身体の血行を良くする。送湯ポンプ１８から、蓄積層４−３に送湯を行い巡回させる。【選択図】図２
2005253895.tif 000002
【特許請求の範囲】
【請求項１】
トルマリン鉱石（マイナスイオン鉱石）蓄積層（４）を段差に組み立て蓄積層（４−１、蓄積層（４−２）、蓄積層（４−３）にトルマリン鉱石を投入行う。
【請求項２】
温水パイプ（２）配管に排湯穴（１）を開けてシャワー方式で蓄積層（４−３）に流し入れる。
【請求項３】
蓄積層（４−３）に温湯通り穴（８）を開けて蓄積層（４−３）に温湯がトルマリン鉱石の間を通過した温湯が蓄積層（４−２）に落下して蓄積される。
【請求項４】
蓄積層（４−２）に温湯通り穴（８）を開けて蓄積層（４−２）に温湯がトルマリン鉱石の間を通過した温湯が蓄積層（４−１）に、落下して温湯が蓄積される。
【請求項５】
蓄積層（４−１）にトルマリン鉱石（３）と温湯が充満する事で（１２）の所から温湯が流れ出て（１６）周囲の蓄積層に温湯が蓄積されて巡回ポンプにて（１７）蓄積層（４−３）に戻る。
【請求項６】
蓄積層のトルマリン鉱石を温湯が通過する事でマイナスイオンが発生して蓄積層（８）の穴より滝のように落下し、エアーパイプ（１０）よりエアーでマイナスイオンが室内に充満出来る装置です。
【請求項７】
床暖房装置（１５）を設置、床４０℃に床に温熱を加える事でトルマリン鉱石板、寝床板（１３）に伝道して身体にマイナスイオンが伝道して全身浴となって汗が出るのです。
【請求項８】
室内の湿度を６０％にする事で気持ち良く身体の毒素が汗と一緒に出るのです。
【発明の詳細な説明】
【発明の詳細な説明】
【温泉湯又は、真水に熱を加えて利用分野】
【０００１】この発明は、温泉とサウナの改良に関するものである。
【背景技術】
【０００２】サウナは室内が高温と室内が狭く長時間、熱苦しく、我慢をしながら汗を搾り出しているのが現状です。
【発明が解決しようとする課題】
【０００３】室内が広く、リラックス音楽により冷静になるネオン装置と赤外線装置等を設置、湿度６０％、温度４０℃にトルマリンの板に温熱を加え、寝ながらマイナスイオンにより血行が良くなり段差の温泉滝落としと大型水槽の熱帯魚を見ながら楽しい温泉サウナ装置です。
【課題を解決するための手段】
【０００４】この発明の具体例を図面によって説明すると、真水に温度約４０℃を加えて巡回を行う方法と、温泉湯で巡回を行う方法等を（２）のパイプに連係し（１）の穴よりシャワー状態になって（４−３）から（４−２）蓄積層の（３）のトルマリン鉱石間を通過する事でマイナスイオンが温泉湯に含まれて（８）の穴から温泉湯が吹き出るのです。
【０００５】其の吹き出た温熱湯を（７）の波板で流れを直立に変えて滝状態に変えて落とします。
【０００６】其の滝裏側から（１１）のパイプにエアーを送風する事で（１０）の穴から噴出しエアーの力でマイナスイオンが室内に超音波のように広がり其の空気を呼吸する事でマイナスイオンが身体に入り血流が緩和されるのです。
【０００７】（４−２）の蓄積層から（４−１）蓄積層に満杯になり（１２）から（１６）の周囲蓄積層に温熱湯が（３）のトルマリン鉱石の間を通過して（１７）の温熱湯槽タンクに溜まり其の温熱湯を（１８）ポンプで（２）に送水されて巡回する装置です。
【０００８】（１６）の蓄積層の中間に（１９）の仕切りを付けて（１５）の床暖房装置（４０℃）をセットします。
【０００９】（１３）のトルマリン鉱石板をセット行い、（１４）の枕を置き身体を横に寝る事で（１３）のトルマリン鉱石板から（１５）の床暖房（４０℃）によってマイナスイオンが発生して身体の血行が緩和出来るのです。
【符号の説明】
１．温熱湯の噴出し穴
２．温熱湯主役入口
３．トルマリン鉱石
４．蓄積層
５．斜面底
６．水槽タンク
７．波板（透明板）
８．噴出し温湯穴
９．透明ガラス
１０．エアー噴出し穴
１１．エアーパイプ
１２．温熱湯  オーバー落とし口
１３．トルマリン鉱石板
１４．枕
１５．床  暖房装置
１６．周囲の蓄積層
１７．温熱湯  貯蔵タンク
１８．送湯  ポンプ
１９．周囲  仕切り装置
【図１】
2005253895.tif 000003
【図２】
2005253895.tif 000004
【図３】
2005253895.tif 000005
【手続補正書】
【提出日】平成16年5月6日(2004.5.6)
【手続補正１】
【補正対象書類名】明細書
【補正対象項目名】全文
【補正方法】変更
【補正の内容】
【発明の詳細な説明】
【温泉湯又は、真水に熱を加えて利用分野】
【０００１】
この発明は、温泉とサウナの改良に関するものである。
【従来の技術】
【０００２】
サウナは室内が高温と室内が狭く長時間、熱苦しく、我慢をしながら汗を搾り出しているのが現状です。
【発明の開示】
【発明が解決しようとする課題】
【０００３】
室内が広く、リラックス音楽により冷静になるネオン装置と赤外線装置等を設置、湿度６０％、温度４０℃にトルマリンの板に温熱を加え、寝ながらマイナスイオンにより血行が良くなり段差の温泉滝落としと大型水槽の熱帯魚を見ながら楽しい温泉サウナ装置です。
【課題を解決するための手段】
【０００４】
この発明の具体例を図面によって説明すると、真水に温度約４０℃を加えて巡回を行う方法と、温泉湯で巡回を行う方法等を（2）のパイプに連係し（1）の穴よりシャワー状態になって（4−3）から（4−2）蓄積層の（3）のトルマリン鉱石間を通過する事でマイナスイオンが温泉湯に含まれて（8）の穴から温泉湯が吹き出るのです。
【０００５】
其の吹き出た温熱湯を（7）の波板で流れを直立に変えて滝状態に変えて落とします。
【０００６】
其の滝裏側から（11）のパイプにエアーを送風する事で（10）の穴から噴出しエアーの力でマイナスイオンが室内に超音波のように広がり其の空気を呼吸する事でマイナスイオンが身体に入り血流が緩和されるのです。
【０００７】
（4−2）の蓄積層から（4−1）蓄積層に満杯になり（12）から（16）の周囲蓄積層に温熱湯が（3）のトルマリン鉱石の間を通過して（17）の温熱湯槽タンクに溜まり其の温熱湯を（18）ポンプで（2）に送水されて巡回する装置です。
【０００８】
（16）の蓄積層の中間に（19）の仕切りを付けて（15）の床暖房装置（４０℃）をセットします。
【０００９】
（13）のトルマリン鉱石板をセット行い、（14）の枕を置き身体を横に寝る事で（13）のトルマリン鉱石板から（15）の床暖房（40℃）によってマイナスイオンが発生して身体の血行が緩和出来るのです。
【図面の簡単な説明】
【００１０】
【図１】本発明を適用したマイナスイオン発生装置の斜視図である。
【図２】同マイナスイオン発生装置の右側面図である。
【図３】同マイナスイオン発生装置の正面図である。
【符号の説明】
【００１１】
１．温熱湯の噴出し穴
２．温熱湯主役入口
３．トルマリン鉱石
４．蓄積層
５．斜面底
６．水槽タンク
７．波板（透明板）
８．噴出し温湯穴
９．透明ガラス
10．エアー噴出し穴
11. エアーパイプ
12. 温熱湯  オーバー落とし口
13. トルマリン鉱石板
14. 枕
15. 床  暖房装置
16. 周囲の蓄積層
17. 温熱湯  貯蔵タンク
18. 送湯  ポンプ
19. 周囲  仕切り装置